(57)【要約】【目的】上流側のトナー像を乱すことなく下流側で良好な現像を行なうことができる画像形成装置を得る。【構成】感光体ベルト１２の移動方向の下流側の現像装置２８において、複数のドナーロール４６、４８を配設することで、一本当たりのドナーロール４６、４８に負荷される交流電場を小さくすることができ、上流側のトナー像の乱れを防止することができる。また、上流側のドナーロール４６より下流側のドナーロール４８について、印加するバイアス電圧を大きくすることで、ドナーロール４６とドナーロール４８とで、現像の割合を略均一にしている。これにより、一つのドナーロール４６、４８で飛翔させるトナーの量を少なくすることができ、感光体ベルト１２の高速化に対して安定した現像を行なうことができる。【選択図】  図１
2005037523.tif 000002
【特許請求の範囲】
【請求項１】
表面に潜像が形成された感光体にトナーを飛翔させ潜像を現像化するドナーロールと、表面にトナーとキャリアを担持し、前記ドナーロールにトナーだけを移動させる担持ロールと、で構成された現像器を備えた画像形成装置において、
複数のドナーロールにより上流側でトナー像が形成された前記感光体へ前記トナー像と異なる色のトナーを飛翔させ、前記潜像を現像化してカラー印刷することを特徴とする画像形成装置。
【請求項２】
表面に潜像が形成された感光体にトナーを飛翔させ潜像を現像化するドナーロールと、表面にトナーとキャリアを担持し、前記ドナーロールにトナーだけを移動させる担持ロールと、で構成された現像器を備えた画像形成装置において、
複数の前記現像器のドナーロールにより上流側でトナー像が形成された前記感光体へ前記トナー像と異なる色のトナーを飛翔させ、前記潜像を現像化してカラー印刷することを特徴とする画像形成装置。
【請求項３】
前記ドナーロールのうち、前記感光体の移動する上流側より下流側の方が印加される電圧が大きいことを特徴とする請求項１又は２に記載の画像形成装置。
【請求項４】
前記複数のドナーロールのうち、前記感光体の移動する上流側より下流側の方が表面抵抗値が小さいことを特徴とする請求項１〜３の何れかに記載の画像形成装置。
【請求項５】
前記複数のドナーロールのうち、前記感光体の移動する上流側より下流側の方が回転数が多いことを特徴とする請求項１〜４の何れかに記載の画像形成装置。
【発明の詳細な説明】
【０００１】
【発明の属する技術分野】
本発明は、カラー印刷可能な画像形成装置に関する。
【０００２】
【従来の技術】
担持ロールを備えた現像装置が複数配列された画像形成装置は一般に知られており、この画像形成装置には、現像装置ごとにトナーの色を変え白黒から何色か追加し、各々所定の領域にトナー像を形成し重ね塗りをしないという意味で＋１カラー、＋２カラー印刷とよばれるものや、重ね塗りによって自然色の再現が可能なフルカラー印刷とよばれるものまである。
【０００３】
ここでは、黒に１色追加し、重ね塗りをしない、いわゆる＋１カラー印刷を例に説明する。所定の距離を置いて配設されたローラには、シームレス状の感光体ベルトが張架しており、感光体ベルトが回転し、帯電器によって感光体ベルトの表面が一様に帯電される。そして、露光部で感光体ベルト上に潜像が形成され、現像装置によって該潜像が可視像（トナー像）化される。
【０００４】
次に、２色目の現像のため、帯電器によって感光体ベルトの表面が帯電され、露光部で感光体ベルト上に潜像が形成される。そして、現像装置によってトナー像とされた後、転写コロトロンによって図示されないトレイから搬送された用紙に２色同時に転写され、熱定着されて該用紙が排出される。
【０００５】
このような画像形成装置では、上流側で現像したトナー像を、いかに劣化させずに下流側の現像装置で現像するかが課題であった。担持ロールが磁力を用いて現像剤を保持し、現像剤のキャリアに摩擦帯電されたトナーを潜像に合わせて感光体ベルトへ飛翔させ電気的に転写する仕組みの場合、現像剤の穂立ち（現像剤の磁力線に応じた連鎖）によって、直接上流側のトナー像が掻き取られ、画像が乱れてしまうからである。
【０００６】
そこで、担持ロールと感光体ベルトとの間に隙間を設け、該穂立ちを感光体ベルトに接触させないようにしながら現像する必要があるが、該隙間の２乗でクーロン力（Ｆ＝ｑＥ２）は弱くなるため、担持ロールと感光体ベルトの距離を近づけながら、穂立ちを感光体ベルトにいかに接触させないようにするかという相反した課題もあり、実際には該隙間は、０．２〜０．３ｍｍ程度に設定されることが多い。
【０００７】
ベルト状感光体や筒状の感光体において、この隙間を維持するためには、精度の高い部品が必要となり、コスト的にも課題となっている。また、磁力線に沿った穂立ちの高さも一定に保たなければ、現像剤の穂立ちが上流側のトナー像を乱してしまう。
【０００８】
このため、特許文献３では第２および第３現像装置の現像ロールの現像剤層厚を現像ロールと感光体の間隙に等しいかそれ以下に制限している。また、特許文献１及び２では、現像ロールの近傍に、弾性ブレード等の現像剤層厚規制部材を配置し、これにより、現像剤の穂立ちの高さを均一に規制する方法が開示されており、また、現像ロールを複数配設し、画像形成装置の高速化にも対応できるようにしている。
【０００９】
【特許文献１】
特開２０００−３４７５０２号公報
【特許文献２】
特開２０００−１８１２２８号公報
【特許文献３】
特開平４−３０８８６９号公報
【００１０】
【発明が解決しようとする課題】
しかしながら、良好な現像性を得るためには、現像ロールの表面の現像剤層厚を現像ロールと感光体の間隙を僅かに下回るほどに制御する必要があるが、非常に困難である。現像剤層厚もしくは現像ロールと感光体との間隙がバラツキ、該現像剤が感光体に接触すると、現像ロールにはキャリアが担持されているため、このキャリアが感光体を摺動し、上流側のトナー像が乱されてしまうと共に、感光体を損傷させてしまうという問題が生じる。
【００１１】
このため、キャリア及びトナーを担持する担持ロールからトナーのみを受け取り、このトナーを感光体へ飛翔させるドナーロールを現像装置に設けるという方法がある。この場合、ドナーロールと担持ロールの間に、バイアス電圧を印加し、トナーのみをドナーロールへ移動させ、ドナーロール上のトナーのみを、感光体上の潜像に対し飛翔させる。
【００１２】
これによると、トナー層は非常に薄い（３０〜６０μｍ）ため、穂立ちによる像乱れはないが、高速化が進むにつれ、トナーを飛翔させるには大きな交流電場が必要となるため、この電場を通過する際、上流側のトナー像が乱されてしまう。
【００１３】
本発明は上記事実を考慮し、上流側のトナー像を乱すことなく下流側で良好な現像を行なうことができる画像形成装置を提供することを目的とする。
【００１４】
【課題を解決するための手段】
請求項１に記載の発明は、表面に潜像が形成された感光体にトナーを飛翔させ潜像を現像化するドナーロールと、表面にトナーとキャリアを担持し、前記ドナーロールにトナーだけを移動させる担持ロールと、で構成された現像器を備えた画像形成装置において、複数のドナーロールにより上流側でトナー像が形成された前記感光体へ前記トナー像と異なる色のトナーを飛翔させ、前記潜像を現像化してカラー印刷することを特徴としている。
【００１５】
請求項１に記載の発明では、感光体の移動方向の下流側の現像器において、ドナーロールを複数設けている。これにより、１本当たりのドナーロールに負荷される交流電場を小さくすることができ、上流側のトナー像の乱れを防止することができる。
【００１６】
また、ドナーロールを複数設けることで、感光体を高速回転させても、トナーが複数回に渡って飛翔するため、感光体上にトナー像を確実に形成させることができると共に、高速化に伴うトナー像の濃度低下を抑えることができる。
【００１７】
請求項２に記載の発明は、表面に潜像が形成された感光体にトナーを飛翔させ潜像を現像化するドナーロールと、表面にトナーとキャリアを担持し、前記ドナーロールにトナーだけを移動させる担持ロールと、で構成された現像器を備えた画像形成装置において、複数の前記現像器のドナーロールにより上流側でトナー像が形成された前記感光体へ前記トナー像と異なる色のトナーを飛翔させ、前記潜像を現像化してカラー印刷することを特徴としている。
【００１８】
請求項２に記載の発明では、感光体の移動する下流側において、各色毎に現像器を複数設けている。これにより、請求項１に記載の発明と同じように、感光体の高速化に対応させることができるが、一つの担持ロールに対してドナーロールを複数配設させた場合の方がコスト的には好ましい。
【００１９】
請求項３に記載の発明は、前記ドナーロールのうち、前記感光体の移動する上流側より下流側の方が印加される電圧が大きいことを特徴としている。
【００２０】
請求項３に記載の発明では、感光体の移動する上流側のドナーロールより下流側のドナーロールについて、印加される電圧を大きくしており、これにより、上流側に位置するドナーロールに掛かる負荷を小さくしている。
【００２１】
例えば、上流側と下流側のドナーロールで印加される電圧を同じにした場合、下流側のドナーロールより先に感光体上の潜像に対面する上流側のドナーロールの方が、より多くのトナーが飛翔し、上流側のドナーロールによってほとんど現像が行なわれる。
【００２２】
このため、下流側のドナーロールは、上流側のドナーロールの補助的なものとなってしまい、ドナーロールの上流側と下流側とで、現像の割合が大きく異なってしまう。
【００２３】
ドナーロールの現像量が多くなると、ドナーロールを高速回転させたとき、トナーを飛翔させた後、ドナーロールが一回転する間に、ドナーロールの表面にトナーをフルに担持させることができない。このため、ドナーロールに担持されたトナーの濃淡によって生じる、いわゆるリロード（ｒｅｌｏａｄ）、又はゴーストが発生してしまう。
【００２４】
しかし、下流側のドナーロールの印加される電圧を上流側のドナーロールよりも大きくし、ドナーロールの上流側と下流側とで、飛翔させるトナーの割合を略均一にすることで、一つのドナーロールで飛翔させるトナーの量を少なくすることができる。
【００２５】
これにより、ドナーロールを高速回転させても、トナーの飛翔後、ドナーロールが一回転する間に、ドナーロールの表面にトナーをフルに担持させることが可能となり、いわゆるりロード又はゴーストを防止することができる。
【００２６】
このように、一つの色に対して複数のドナーロールを用いると共に、各ドナーロールで現像の割合を略同一にして、一つのドナーロールで飛翔させるトナーの量を少なくすることで、感光体の高速化に対して安定した現像を行なうことができる。これにより、濃度ムラを改善し、色再現の忠実性が上がり、画像品質を向上させることができる。
【００２７】
請求項４に記載の発明は、前記複数のドナーロールのうち、前記感光体の移動する上流側より下流側の方が表面抵抗値が小さいことを特徴としている。
【００２８】
請求項４に記載の発明では、感光体の移動する上流側のドナーロールより下流側のドナーロールの表面抵抗値を小さくしている。これにより、上流側のドナーロールよりも下流側のドナーロールにトナーが付着しやすくなる。
【００２９】
したがって、担持ロールから下流側のドナーロールへ移動するトナーの量を、上流側のドナーロールよりも多くすることができ、多くのトナーを感光体へ飛翔させることが可能となる。このため、請求項３に記載の発明と同様に、上流側に位置するドナーロールに掛かる負荷を小さくすることでき、結果的に、上流側のドナーロールと下流側のドナーロールとで現像の割合を均一にすることができる。
【００３０】
請求項５に記載の発明は、前記複数のドナーロールのうち、前記感光体の移動する上流側より下流側の方が回転数が多いことを特徴としている。
【００３１】
請求項５に記載の発明では、感光体の移動する上流側のドナーロールより下流側のドナーロールの回転数を多くしている。これにより、下流側のドナーロールと感光体との対面時間を増加させることができる。
【００３２】
つまり、下流側のドナーロールの現像の割合を増やし、上流側に位置するドナーロールに掛かる負荷を小さくすることで、請求項３に記載の発明と同様に、上流側のドナーロールと下流側のドナーロールとで現像の割合を均一にすることができる。
【００３３】
【発明の実施の形態】
次に、本発明の実施の形態について説明する。
【００３４】
図１に示すように、画像形成装置１０では、潜像担持体として環状の感光体ベルト１２が用いられている。この感光体ベルト１２は、ローラ１４、ローラ１５及びローラ１６に張架されて回転するようになっている。
【００３５】
感光体ベルト１２の外周面（転写面）には、帯電装置１８、露光装置２０、現像装置２２がそれぞれ順番に対向しており、コロトロン等の帯電装置１８によって感光体ベルト１２が一様に帯電された後、露光装置２０によって感光体ベルト１２上に静電潜像が書き込まれ、現像装置２２によって、静電潜像がトナー像として可視像化される。
【００３６】
黒にＮ色追加し、重ね塗りをしない、いわゆる＋Ｎカラー印刷の場合、帯電装置１８、露光装置２０、現像装置２２の後に、帯電装置２４、露光装置２６、現像装置２８を一組として、Ｎセット配設する。なお、ここでは、黒に１色追加する、いわゆる＋１カラー印刷を例に説明する。
【００３７】
つまり、ここでは、帯電装置１８、露光装置２０、現像装置２２、帯電装置２４、露光装置２６、現像装置２８が感光体ベルト１２の移動方向に沿って順番に配置されており、現像装置２２によって、感光体ベルト１２上にトナー像が形成された後、帯電装置２４によって感光体ベルト１２が再度帯電され、露光装置２６によって感光体ベルト１２上に静電潜像が書き込まれる。そして、現像装置２８によって、感光体ベルト１２上には、現像装置２２によって形成されたトナー像とは別のトナー像が形成される。
【００３８】
次に、コロトロン等の転写装置３０によって、用紙、ＯＨＰシート等に各色毎のトナー像が一気に転写された後、定着装置３２によって用紙、ＯＨＰシート等に定着され、用紙、ＯＨＰシート等が排出される。
【００３９】
ここで、現像装置２２、２８について説明する。
【００４０】
図１に示すように、感光体ベルト１２の移動方向の最上流に位置する現像装置２２には、キャリア３５とトナー３６とで構成された現像剤が充填されており、キャリア３５及びトナー３６は図示されない攪拌装置により攪拌され摩擦帯電される。
【００４１】
また、現像装置２２には、表面にトナー３６とキャリア３５を担持する担持ロール４０を設けており、キャリア３５を介して担持ロール４０に担持されたトナー３６を飛翔させ、感光体ベルト１２の表面に形成された潜像を現像化する。
【００４２】
一方、図１〜図３に示すように、現像装置２２の下流側に位置する現像装置２８には、現像装置２２のトナー３６とは異なる色のトナー３８が充填されている。また、現像装置２８では、担持ロール４２の近傍に、高さ規制部材４４を設けており、現像剤の磁力線に沿って出来た穂立ちの高さを規制している。
【００４３】
さらに、担持ロール４２と感光体ベルト１２の間には、複数のドナーロール４６、４８を設けており、ドナーロール４６、４８には、対向ロール５０をそれぞれ対向して配設し、感光体ベルト１２の内周面（転写面の裏面）に摺接させている。これにより、感光体ベルト１２とドナーロール４６、４８のクリアランス（０．３〜０．５ｍｍ）を一定に保持し、濃度の均一化を図っている。
【００４４】
また、ドナーロール４６、４８と担持ロール４２の間には、バイアス電圧を印加させ、担持ロール４２の表面に担持されたトナー３８のみがドナーロール４６、４８へ移動するようにしている。そして、ドナーロール４６、４８の表面に担持されたトナー３８を感光体ベルト１２へ飛翔させて、感光体ベルト１２の表面に形成された潜像を現像する。
【００４５】
ここで、バイアス電圧は、図示しない制御装置によって制御されており、ドナーロール４６、４８のうち、感光体ベルト１２の移動する上流側のドナーロール４６に印加するバイアス電圧を２００〜２５０ＶＤＣ、１．５〜２ｋＶｐｐ、３〜１０ｋＨｚ、ドナーロール４８に印加するバイアス電圧を２５０〜３００ＶＤＣ、２〜２．５ｋＶｐｐ、３〜１０ｋＨｚとし、下流側のドナーロール４８に印加するバイアス電圧を上流側のドナーロール４６よりも大きくしている。
【００４６】
また、現像装置２８の下流側には、濃度センサ３１を配設しており、この濃度センサ３１によって、感光体ベルト１２に形成されたトナー像の濃度を測定する。濃度センサ３１は制御装置と接続されており、測定されたデータによって、ドナーロール４８と担持ロール４２の間のバイアス電圧が調整される。
【００４７】
次に、本発明の実施の形態に係る画像形成装置の作用について説明する。
【００４８】
感光体ベルト１２の移動方向の下流側の現像装置２８において、ドナーロール４６、４８に、対向ロール５０をそれぞれ対向して配設し、感光体ベルト１２とドナーロール４６、４８のクリアランス（０．３〜０．５ｍｍ）を一定に保持しすることで、濃度の均一化を図ると共に、感光体ベルト１２とドナーロール４６、４８との干渉を防止し、感光体ベルト１２の寿命を長くすることができる。
【００４９】
また、ドナーロール４６、４８上のトナー３８のみが、感光体ベルト１２の潜像に対し飛翔して、トナー像を感光体ベルト１２上に形成するため、穂立ちによる先行トナー像の乱れがない。
【００５０】
さらに、現像装置２８において、複数のドナーロール４６、４８を配設することで、一本当たりのドナーロール４６、４８に負荷される交流電場を小さくすることができ、上流側のトナー像の乱れを防止することができる。
【００５１】
ところで、ドナーロール４６、４８のうち、感光体ベルト１２の移動する上流側のドナーロール４６よりも下流側のドナーロール４８に印加するバイアス電圧を大きくしており、これにより、ドナーロール４６に掛かる負荷（トナーを飛翔させる量）を小さくしている。
【００５２】
例えば、上流側のドナーロール４６と下流側のドナーロール４８とで、印加するバイアス電圧を同じ（２５０Ｖ、２ｋＶｐｐ）にした場合、ドナーロール４８より先に感光体ベルト１２上の潜像に対面するドナーロール４６の方が、より多くのトナー３８が飛翔して、ドナーロール４６によって約９０％の現像が行なわれる。
【００５３】
このため、ドナーロール４８はドナーロール４６の補助的なものとなってしまい、上流側とドナーロール４６と下流側のドナーロール４８とで現像の割合が大きく異なってしまう。
【００５４】
このように、ドナーロール４６の現像の割合が多くなると、ドナーロール４６を高速回転させたとき、トナー３８を飛翔させた後、ドナーロール４６が一回転する間に、ドナーロール４６の表面にトナー３８をフルに担持させることができない。このため、ドナーロール４６に担持されたトナー３８の濃淡によって生じる、いわゆるリロード又はゴーストが発生してしまう。
【００５５】
しかし、本形態のように、ドナーロール４６に印加するバイアス電圧を２００〜２５０ＶＤＣ、１．５〜２ｋＶｐｐとし、ドナーロール４８に印加するバイアス電圧を２５０〜３００ＶＤＣ、２〜２．５ｋＶｐｐとして、上流側のドナーロール４６より下流側のドナーロール４８について、印加するバイアス電圧を大きくすることで、ドナーロール４６に約９０％依存していた現像割合を、上流側のドナーロール４６と下流側のドナーロール４８とで、略均一にすることができる。
【００５６】
これにより、一つのドナーロール４６、４８で飛翔させるトナー３８の量を少なくすることができ、ドナーロール４６、４８を高速回転させても、トナー３８の飛翔後、ドナーロール４６、４８が一回転する間に、ドナーロール４６、４８の表面にトナー３８をフルに担持させることが可能となり、いわゆるリロード又はゴーストを防止することができる。
【００５７】
このように、一つの色に対して複数のドナーロール４６、４８を用いると共に、各ドナーロール４６、４８で現像の割合を略同一にして、一本当たりのドナーロール４６、４８の負荷を小さくすることで、感光体ベルト１２の高速化に対して安定した現像を行なうことができる。これにより、濃度ムラを改善し、色再現の忠実性が上がり、画像品質を向上させることができる。
【００５８】
ところで、現像装置２８の下流側に濃度センサ３１を配設しており、現像装置２８によって形成されたトナー像の濃度を印刷毎に測定し、制御装置を介して、担持ロール４２とドナーロール４８との間に印加されるバイアス電圧を調整することで、複数枚の印刷時において生じる濃度ムラをなくすことができる。
【００５９】
なお、ここでは、上流側のドナーロール４６よりも下流側のドナーロール４８に印加するバイアス電圧を大きくして、上流側のドナーロール４６に掛かる負荷（トナーを飛翔させる量）を小さくしたが、上流側のドナーロール４６と下流側のドナーロール４８とで、現像割合を略均一にすることができれば良いため、これに限るものではない。
【００６０】
例えば、上流側のドナーロール４６より下流側のドナーロール４８の表面抵抗値を小さくしても良い。これにより、上流側のドナーロール４６よりも下流側のドナーロール４８にトナー３８が付着しやすくなる。
【００６１】
したがって、担持ロール４２からドナーロール４８へ移動するトナー３８の量を多くすることができ、多くのトナー３８を感光体ベルト１２へ飛翔させることが可能となる。このため、ドナーロール４６に掛かる負荷を小さくし、結果的に、ドナーロール４６とドナーロール４８とで現像の割合を均一にすることができる。
【００６２】
また、上流側のドナーロール４６よりも下流側のドナーロール４８の回転数を多くしても良い。これにより、下流側のドナーロール４８と感光体ベルト１２との対面時間を増加させることができ、ドナーロール４８の現像の割合を増やすことができる。したがって、ドナーロール４６に掛かる負荷を小さくすることができ、ドナーロール４６とドナーロール４８とで現像の割合を均一にすることができる。
【００６３】
さらに、これらを複合させた状態で使用しても良い。例えば、上流側のドナーロール４６よりも、下流側のドナーロール４８に印加するバイアス電圧を大きくすると共に、上流側のドナーロール４６よりも、下流側のドナーロール４８の回転数を多くしても良い。
【００６４】
また、ここでは、一つの担持ロール４２に対してドナーロール４６、４８を二つ配設したが、感光体ベルト１２の速度に応じて、ドナーロールの数は変動する。さらに、一つの担持ロール４２に対して二つドナーロール４６、４８を用いたが、一つの色に対して複数のドナーロールを配設すれば良いため、これに限るものではない。
【００６５】
例えば、図３に示すように、一つの色に対して、複数の担持ロール５２、５４を配設し、この担持ロール５２、５４に対応してそれぞれドナーロール５６、５８を配設してドナーロール５６、５８を複数設けるようにしても良いが、一つの担持ロールに対してドナーロールを複数配設させた場合の方がコスト的には好ましい。
【００６６】
【発明の効果】
本発明は、上記構成としたので、請求項１及び請求項２に記載の発明では、複数のドナーロールによってトナー像を形成させるため、一本当たりのドナーロールに負荷される交流電場を小さくすることができ、上流側のトナー像の乱れを防止することができる。また、ドナーロールを複数設けることで、感光体を高速回転させても、トナーが複数回に渡って飛翔するため、感光体上にトナー像を確実に形成させることができると共に、高速化に伴うトナー像の濃度低下を抑えることができる。
【００６７】
請求項３に記載の発明では、ドナーロールを高速回転させても、トナーの飛翔後、ドナーロールが一回転する間に、ドナーロールの表面にトナーをフルに担持させることが可能となり、いわゆるリロード又はゴーストを防止することができる。また、感光体の高速化に対して安定した現像を行なうことができ、これにより、濃度ムラを改善し、色再現の忠実性が上がり、画像品質を向上させることができる。
【００６８】
請求項４に記載の発明では、担持ロールから下流側のドナーロールへ移動するトナーの量を、上流側のドナーロールよりも多くすることができ、多くのトナーを感光体へ飛翔させることが可能となる。これにより、上流側のドナーロールと下流側のドナーロールとで現像の割合を均一にすることができる。
【００６９】
請求項５に記載の発明では、下流側のドナーロールと感光体との対面時間を増加させることができるため、下流側のドナーロールの現像の割合を増やし、上流側に位置するドナーロールに掛かる負荷を小さくすることで、上流側のドナーロールと下流側のドナーロールとで現像の割合を均一にすることができる。
【図面の簡単な説明】
【図１】本発明の実施の形態に係る画像形成装置を示す図である。
【図２】本発明の実施の形態に係る画像形成装置の現像装置を示す図であり、（Ａ）は断面図を示し、（Ｂ）は斜視図を示している。
【図３】本発明の実施の形態に係る画像形成装置の変形例を示す図である。
【符号の説明】
１０      画像形成装置
２８      現像装置
４２      担持ロール
４６      ドナーロール
４８      ドナーロール
５２      担持ロール
５４      担持ロール
５６      ドナーロール
５８      ドナーロール
【図１】
2005037523.tif 000003
【図２】
2005037523.tif 000004
【図３】
2005037523.tif 000005